(57)【要約】【課題】ラドルを別のラドルに交換する場合、計測器自体も交換する必要があり、計測器の交換作業時間を要する。また、鋳造サイクル毎に、ラドル内溶湯状態の計測値を利用して、ラドル給湯装置の動作を制御し、不良品鋳造の抑制が可能なラドル給湯制御が必要である。【解決手段】ラドル内の溶湯状態を検出する計測器を取付ける為に、計測器用の取付具を、ラドルの回転軸に設けたラドル給湯装置を提供する。計測器用の取付具は、ラドルの回転軸およびラドルと共に同時に回転動作する構造の為、別のラドルに交換する場合、計測器自体を交換する必要がなく、同じ計測器を継続して使用可能であり、計測器の交換作業が一切不要になる構造である。また、ラドル給湯制御は、鋳造サイクル毎に、ラドル内の溶湯状態の計測値を利用して、ラドル給湯装置の動作を制御するラドル給湯制御方法を提供する。これにより、不良品鋳造の抑制に対して優れた作用効果が得られる。【選択図】  図３
2019069453.tif 000002
【特許請求の範囲】
【請求項１】
溶湯を注湯するラドル給湯装置において、ラドルを取付けている回転軸に、溶湯状態を検出するための計測器の取付具を、設けたことを特徴とするラドル給湯装置。
【請求項２】
前記計測器は温度計である請求項１記載のラドル給湯装置。
【請求項３】
前記計測器は距離計である請求項１記載のラドル給湯装置。
【請求項４】
請求項２記載のラドル給湯装置において、前記計測器として、さらに距離計を設けたラドル給湯装置。
【請求項５】
給湯装置用ラドルを取付けている回転軸に、溶湯状態を検出するための計測器の取付具を、設けたラドル給湯装置において、鋳造サイクル毎に、計測器により検出する、計測値を利用して、前記ラドル給湯装置の動作を制御することを特徴とするラドル給湯制御方法。
【請求項６】
給湯装置用ラドルを取付けている回転軸に、溶湯温度を検出するための温度計の取付具を、設けたラドル給湯装置において、鋳造サイクル毎に、温度計により検出する、ラドル内溶湯温度の実績値と、ラドル内溶湯温度の目標値の差を算出し、その差の値に基づいて、次の工程の動作を制御することを特徴とするラドル給湯制御方法。
【請求項７】
給湯装置用ラドルを取付けている回転軸に、溶湯液面高さを検出するための距離計の取付具を、設けたラドル給湯装置において、鋳造サイクル毎に、設置した距離計により、ラドル内溶湯液面高さを測定して実給湯量を求め、実給湯量と、給湯量の目標値の差を算出し、その差の値に基づいて、給湯量を補正することを特徴とするラドル給湯制御方法。
【請求項８】
請求項６記載のラドル給湯制御方法において、さらに、前記計測器として、距離計を設け、鋳造サイクル毎に、ラドル内溶湯液面高さを測定して実給湯量を求め、実給湯量と、給湯量の目標値の差を算出し、その差の値に基づいて、給湯量を補正する制御を設けたことを特徴とするラドル給湯制御方法。
【発明の詳細な説明】
【技術分野】
【０００１】
本発明は、ラドルの回転動作によって、溶湯を注湯する、ラドル内の溶湯状態を検出することを目的とする計測器の取付具の設置方法に係る、ラドル給湯装置、及び、計測器によって検出した計測値を利用して、ラドル給湯装置の動作を制御するラドル給湯制御方法、に関するものである。
【０００２】
さらに詳しくは、計測器の取付具の設置方法による、計測器の検出性と計測器の交換作業、及び、ラドル給湯制御方法による、不良品鋳造の抑制、に関するものである。
【背景技術】
【０００３】
従来技術として、鋳物とセラミツクスを用いたラドルの給湯及び注湯の傾きに連動するようにラドルに連続測温用のサーモカップルを支える固定金具を設け、サーモカップルの温接点外の＋−を各々磁性管で保護した上で自動給湯機のアームに連動させることを特徴とするラドル内溶湯の連続測温装置が知られている（例えば、下記特許文献１参照）。
【０００４】
この従来技術の目的は、ダイカスト製品の注湯温度に起因する鋳巣、湯境い、湯廻り、気泡等の不良現象を防止するため、保持炉から注湯までの温度降下の状況を把握することにより、保持炉の温度を測定する装置を提供することにある。
【０００５】
この従来技術においては、ラドルの上部中央にサーモカップルの固定金具を設けている。そして、固定金具はサーモカップルとラドルを直接固定するバインダークリップ等の簡便法からラドルに専用の固定金具を設け、測温位置を自由に変える方法を実施例として説明している。
【０００６】
この従来技術によれば保持炉から注湯に至るまでのラドル内溶湯温度の状況が把握出来るため、溶湯温度に起因する製品の出来栄えとの関連がわかるので、不良品対策が容易となり、適正溶湯温度の設定が可能となり品質安定化への効果がある。
【先行技術文献】
【特許文献】
【０００７】
【特許文献１】実開昭６２−１０５７４７号公報
【発明の概要】
【発明が解決しようとする課題】
【０００８】
上述した従来技術において、ラドルを、別のサイズ、あるいは、別のタイプ、のラドルに交換する場合には、計測器自体も併せて交換する必要があり、計測器の交換作業が発生し、計測器交換作業時間を要するという課題がある。
【０００９】
さらに、上述した従来技術において、計測値を利用した、不良品の鋳造の抑制を目的とする、ラドル給湯制御は行っていない。そのため、鋳造サイクル毎に、計測器により検出したラドル内溶湯状態の計測値を利用して、ラドル給湯装置の動作を制御することにより、不良品の鋳造の抑制を可能とするラドル給湯制御が必要であるという課題がある。
【課題を解決するための手段】
【００１０】
請求項１に記載の発明は、溶湯を注湯するラドル給湯装置において、ラドルを取付けている回転軸に、溶湯状態を検出するための計測器の取付具を、設けたことを特徴とするラドル給湯装置である。
【００１１】
請求項２に記載の発明は、溶湯を注湯するラドル給湯装置において、ラドルを取付けている回転軸に、溶湯温度を検出するための温度計の取付具を、設けたことを特徴とするラドル給湯装置である。
【００１２】
請求項３に記載の発明は、溶湯を注湯するラドル給湯装置において、ラドルを取付けている回転軸に、溶湯液面高さを検出するための距離計の取付具を、設けたことを特徴とするラドル給湯装置である。
【００１３】
請求項４に記載の発明は、溶湯を注湯するラドル給湯装置にあって、ラドルを取付けている回転軸に、溶湯温度を検出するための温度計の取付具を、設けたことを特徴とするラドル給湯装置において、前記計測器として、さらに距離計を設けたラドル給湯装置である。
【００１４】
請求項５に記載の発明は、給湯装置用ラドルを取付けている回転軸に、溶湯状態を検出するための計測器の取付具を、設けたことを特徴とするラドル給湯装置において、鋳造サイクル毎に、計測値を利用して、前記ラドル給湯装置の動作を制御することを特徴とするラドル給湯制御方法である。
【００１５】
請求項６に記載の発明は、給湯装置用ラドルを取付けている回転軸に、溶湯温度を検出するための温度計の取付具を、設けたことを特徴とするラドル給湯装置において、鋳造サイクル毎に、ラドル内溶湯温度の実績値と、ラドル内溶湯温度の目標値の差を算出し、その差の値に基づいて、次の工程の動作を制御することを特徴とするラドル給湯制御方法である。
【００１６】
請求項７に記載の発明は、給湯装置用ラドルを取付けている回転軸に、溶湯液面高さを検出するための距離計の取付具を、設けたことを特徴とするラドル給湯装置において、鋳造サイクル毎に、ラドル内溶湯液面高さを測定して実給湯量を求め、実給湯量と、給湯量の目標値の差を算出し、その差の値に基づいて、給湯量を補正することを特徴とするラドル給湯制御方法である。
【００１７】
請求項８に記載の発明は、給湯装置用ラドルを取付けている回転軸に、溶湯温度を検出するための温度計の取付具を、設けたことを特徴とするラドル給湯装置にあって、鋳造サイクル毎に、ラドル内溶湯温度の実績値と、ラドル内溶湯温度の目標値の差を算出し、その差の値に基づいて、次の工程の動作を制御することを特徴とするラドル給湯制御方法において、さらに、前記計測器として、距離計を設け、鋳造サイクル毎に、ラドル内溶湯液面高さを測定して実給湯量を求め、実給湯量と、給湯量の目標値の差を算出し、その差の値に基づいて、給湯量を補正する制御を設けたラドル給湯制御方法である。
【発明の効果】
【００１８】
本発明によれば、ラドルを、別のサイズ、あるいは、別のタイプ、のラドルに交換する場合でも、計測器自体を交換する必要がなくなり、同じ計測器を継続して使用可能であるため、計測器の交換作業時間が無くなる、という効果がある。
【００１９】
さらに、鋳造サイクル毎に、計測器により検出したラドル内溶湯状態の計測値を利用して、ラドル給湯装置の動作を制御することにより、不良品の鋳造の抑制を可能とするラドル給湯制御が行える、という効果がある。
【図面の簡単な説明】
【００２０】
【図１】本発明の一態様であるダイカストマシンが適用されたラドル給湯装置を説明する図である。
【図２】本発明に係るラドル給湯装置における計測器取付具の設置方法及び給湯制御方法を説明する図である。
【図３】ラドル内の溶湯状態を検出する計測器を取付けるための取付具をラドルの回転軸に設けた構成を説明する図である。（ａ）は正面図、（ｂ）は右側面図を示す。
【発明を実施するための形態】
【００２１】
本発明をより詳細に説明するために、以下、本発明を実施するための形態を、好適な例を挙げて、適宜図面を用いて説明する。
ここでは、例えばダイカストマシンに、溶湯保温炉を設置した場合の、ラドル給湯装置を備えた一態様について、図１を用いて説明する。
ラドル給湯装置１は、例えば、ゴールドチャンバー式ダイカストマシンに自動的に溶湯２３を供給する装置であり、ラドル給湯装置１本体の構成は、
（１）溶湯２３を汲み出すラドル２
（２）ラドル２を溶湯保温炉２４からダイカストマシン１０の注湯位置まで搬送するアーム７（ここでは、例えば、アームは合計２本有り）
（３）ラドル２およびアーム７を駆動するためのモータ（図示せず）、減速機（図示せず）およびチェーン（図示せず）
から成っている。
動作は手動およびダイカストマシン１０本体との連動自動運転のいずれも可能となっている。
図１に示すように、鋳造に用いられるダイカストマシン１０は、射出スリーブ１１を有する射出装置（図示せず）と、この射出装置の射出スリーブ１１内に溶湯２３を供給するためのラドル２とを備える。射出装置の射出スリーブ１１は、金型（図示せず）のキャビティに連通している。
射出スリーブ１１の上面部には、ラドル２から溶湯２３を射出スリーブ１１内に供給するための注湯口１２が形成されている。射出スリーブ１１は、例えば、円筒状に形成されている。このように構成された射出スリーブ１１内に供給された溶湯２３は、プランジャチップ１４が金型のキャビティ側へ前進することによって、キャビティ内へ射出されて充填される。
射出スリーブ１１に供給される溶湯２３は、射出スリーブ１１から離れた所定位置に設置された溶湯保温炉２４内に溶融状態で貯留されている。溶湯保温炉２４内に貯留された溶湯２３は、アーム７の先端に取り付けられたラドル２により、溶湯保温炉２４から汲み出されて射出スリーブ１１内に払い出されて供給される。
そして、金型のキャビティ内へ射出されて充填が完了した後、例えば、型締、型開、押出、取出し、冷却、後処理の工程を経て、製品の鋳造が繰り返し行われる。
【００２２】
＜第１の実施形態＞
以下、本発明の第１の実施形態を図に基づいて説明する。
図２および図３に示すように、本発明に係るラドル給湯装置１は、ラドル２自体にラドル回転用の軸穴３を設けており、ラドルの回転機構４により、ラドルを回転させることによって、ダイカストマシン（図示せず）の射出スリーブ１１内に、ラドル２内の溶湯２１を、注湯口１２の箇所において、注湯するものである。
【００２３】
図３に示すように、ラドル２は、回転機構４を構成するために、軸穴３に挿入する回転軸５を介してラドル給湯装置１に取付けられており、ラドル２の回転を可能としている。
【００２４】
本発明による第１の実施形態は、ラドル２内に存在する溶湯状態を検出することを目的とした計測器３１を取付けるために、計測器３１を取付けるための取付具６を、回転軸５に設けたことを特徴とするラドル給湯装置１である。
【００２５】
なお、計測器を取付けるための取付具６は、取付具６自体の取付部を回転軸５に設けており、その取付部から上向きに立ち上がり、計測器３１の取付位置が、計測器３１により、ラドル２内に存在する溶湯状態を検出可能な位置になるように、取付具６の形状を変化させて、計測器３１の取付位置を適正な位置に導く構成をした構造になっている。
【００２６】
計測器３１を取付けるための取付具６は、回転軸５およびラドル２、と共に同時に回転動作するため、計測器３１の検出部３２と、ラドル２の各箇所との距離は、固定値となる。さらに詳しくは、計測器３１の検出部３２と、ラドル２内の溶湯液面２２との距離は、ラドル２内の溶湯量が一定の場合に、固定値となる。したがって、計測器３１によりラドル２内に存在する溶湯状態を検出する計測値については、計測精度の安定性が向上する。
【００２７】
また、ラドル２を、別のサイズ、あるいは、別のタイプ、のラドルに交換する場合において、計測器３１自体を交換する必要がなく、同じ計測器３１を継続して使用可能であるため、計測器３１の交換作業時間が一切不要になるという構成となっている。つまり、作業工程を省くことによる作業効率の向上という作用効果がある。
【００２８】
なお、計測器３１には、例えば、各種の、温度計、測長機、振動計、力学量測定器、レベル計など、目的に応じて、使用可能なものを適宜選定して、使用することができる。
【００２９】
＜第２の実施形態＞
以下、本発明の第２の実施形態を図に基づいて説明する。
図３に示す第１の実施形態において、本発明によれば、計測器３１を取付けるための取付具６に、計測器として、例えば、温度計を使用することができる。前記温度計は、ラドル２内に存在する溶湯温度を検出することを目的とする。
【００３０】
好適には、前記温度計として、非接触温度計測が可能な非接触温度計を使用することにより、例えば、
まず、ラドル２内の溶湯による検出部３２（接触部）の溶損の発生が無くなることにより、前記非接触温度計の耐久性が向上する、
次に、前記非接触温度計の耐久性の向上により、連続鋳造における常時の計測に優位性を持つ、
更に、検出部３２（接触部）へのラドル２内の溶湯の付着により発生する、酸化物の形成が無くなることにより、鋳造品への酸化物の混入が防止されることによる、不良品が鋳造される要因が減少する、
といった、鋳造に対して優れた作用効果がある。
【００３１】
＜第３の実施形態＞
以下、本発明の第３の実施形態を図に基づいて説明する。
また、図３に示す第１の実施形態において、本発明によれば、計測器３１を取付けるための取付具６に、計測器として、例えば、距離計を使用することができる。前記距離計は、ラドル２内に存在する溶湯液面２２までの距離を検出することを目的とする。
【００３２】
前記距離計は、非接触で二点間の距離を測る計測機器であるため、前記非接触温度計の場合と同様に、例えば、
まず、ラドル２内の溶湯による検出部３２の溶損の発生が無いため、前記距離計の耐久性が問題なく確保できる、
次に、前記距離計の耐久性の問題のない確保により、連続鋳造における常時の計測に優位性を持つ、
更に、検出部３２へのラドル２内の溶湯の付着により発生する、酸化物の形成が無いために、鋳造品への酸化物の混入を阻止できることによる、不良品が鋳造される要因が減少する、
といった、鋳造に対して優れた作用効果がある。
【００３３】
＜第４の実施形態＞
以下、本発明の第４の実施形態を図に基づいて説明する。
さらに、図３に示す第１の実施形態において、本発明によれば、計測器３１を取付けるための取付具６に、計測器として、例えば、温度計と共に距離計も併せて使用することができる。前記温度計と前記距離計は、ラドル２内に存在する溶湯温度を検出すること、及び、ラドル２内に存在する溶湯液面２２までの距離を検出することを目的とする。
【００３４】
好適には、前記温度計および前記距離計は、非接触式を使用することにより、例えば、
まず、ラドル２内の溶湯による検出部３２の溶損の発生が無くなることにより、非接触式計測器の耐久性が向上する、
次に、前記非接触式計測器の耐久性の向上により、連続鋳造における常時の計測に優位性を持つ、
更に、検出部３２へのラドル２内の溶湯の付着により発生する、酸化物の形成が無くなることにより、鋳造品への酸化物の混入が防止されることによる、不良品が鋳造される要因が減少する、
といった、鋳造に対して優れた作用効果がある。
【００３５】
なお、ここでは、計測器３１を取付けるための取付具６に、計測器として、温度計と距離計を使用することを例として説明したが、
目的に応じて、計測器の設置個数、および、計測器の種類、規格、仕様、型式は、適宜、自由に変更が可能である。
【００３６】
＜第５の実施形態＞
以下、本発明の第５の実施形態を図に基づいて説明する。
図３に示すように、本発明に係るラドル給湯制御方法は、ダイカストマシン（図示せず）の鋳造サイクル毎に、計測器３１によって検出したラドル２内の溶湯状態の計測値を利用して、鋳造サイクル毎にラドル給湯装置１の動作を制御することを特徴とするラドル給湯制御方法である。
【００３７】
鋳造サイクル毎のラドル２内の溶湯状態の前記計測値を鋳造サイクル毎の鋳造条件の中に取り込んで、前記計測値を利用することによって、例えば、
【００３８】
まず、図２および図３において、不良の鋳造品が鋳造されるか否かを予測して、ダイカストマシン（図示せず）の射出スリーブ１１内に、ラドル２内の溶湯２１を、注湯口１２の箇所において、注湯する動作の工程に進むか否かを判断する、つまり、不良品の鋳造の有無を予測して診断するシステムを構築することにより、注湯の動作の工程を制御し、例えば、
不良の鋳造品が鋳造されることが予測される場合は、注湯する動作の工程を中止し、ラドル２内の溶湯２１を、改めて再び汲み直す工程から再開し、良品の鋳造品が鋳造されることが予測される場合は、注湯する動作の工程に進む、
といった、良品鋳造のための装置効率の管理と向上が可能となり、省エネルギーに伴う環境負荷削減を通した環境保護につながる、
【００３９】
次に、次回以降の鋳造サイクルの工程に進むにあたり、前回までの鋳造条件を基にして、次回以降の鋳造条件を自動的に変化させるシステムを構築することにより、例えば、
ラドル２内に汲み取る給湯量を補正することを可能として、不良品の鋳造の発生を低減し、鋳造歩留り改善、コスト削減、地球資源および環境の保全に貢献する、
といった、鋳造に対して優れた作用効果がある。
【００４０】
なお、計測器３１については、例えば、各種の、温度計、測長機、振動計、力学量測定器、レベル計など、目的に応じて、使用可能なものを適宜選定して、使用することができるため、前記計測値を利用して、鋳造サイクル毎にラドル給湯装置１の動作を制御する方法を適宜、自由に決定して、好適なラドル給湯制御方法を構築することが可能である。
【００４１】
＜第６の実施形態＞
以下、本発明の第６の実施形態を図に基づいて説明する。
図２および図３に示す第５の実施形態において、本発明によれば、鋳造サイクル毎のラドル２内の溶湯状態の計測値を鋳造サイクル毎の鋳造条件の中に取り込んで、前記計測値を利用するために、前記計測器として、例えば、温度計を使用することができる。
この場合、鋳造サイクル毎に、ラドル２内の溶湯温度を検出した実績値と、事前に設定して入力したラドル２内の溶湯温度の目標値（以下、第１の目標値と記す）との差を算出し、その差が事前に設定して入力した許容温度範囲内に入るか否かの結果に基づいて、次のラドル給湯装置１の動作の工程を制御することを特徴とするラドル給湯制御方法となる。
【００４２】
好適には、ラドル２内の溶湯温度を検出した前記実績値は、ダイカストマシン（図示せず）の射出スリーブ１１内に、ラドル２内の溶湯２１を、注湯口１２の箇所において、注湯する直前の実績値を取り込むことにより、ラドル給湯装置１のラドル２内の溶湯２１の搬送の工程での外乱によって生じる温度変化を取り除くことが可能となる。
【００４３】
事前に設定して入力した第１の目標値は、不良となった複数の鋳造品の鋳造直後の温度を事前に検出し、この不良となった複数の鋳造品の温度の計測値に基づいて決定する。また、前記許容温度範囲は、不良となった複数の鋳造品の温度の計測値に基づいて決定した第１の目標値を基準として、例えば、第１の目標値の下限温度および上限温度を決定し、前記下限温度から前記上限温度の範囲を許容温度範囲に設定することにより決定することができる。
【００４４】
具体的に、例えば、
不良の鋳造品が鋳造されることが予測される場合、つまり、ラドル２内の溶湯２１を注湯する直前の実績値が、前記許容温度範囲外の場合は、注湯する動作の工程を中止し、ラドル２内の溶湯２１を、改めて再び汲み直す工程から再開し、
良品の鋳造品が鋳造されることが予測される場合、つまり、ラドル２内の溶湯２１を注湯する直前の実績値が、前記許容温度範囲内の場合は、注湯する動作の工程に進む、といったことを特徴とするラドル給湯制御方法が可能である。
これは、良品鋳造のための装置効率の管理と向上が可能となり、省エネルギーに伴う環境負荷削減を通した環境保護につながるといった、鋳造に対して優れた作用効果がある。
【００４５】
＜第７の実施形態＞
以下、本発明の第７の実施形態を図に基づいて説明する。
また、図２および図３に示す第５の実施形態において、本発明によれば、鋳造サイクル毎のラドル２内の溶湯状態の計測値を鋳造サイクル毎の鋳造条件の中に取り込んで、前記計測値を利用するために、前記計測器として、例えば、距離計を使用することができる。
【００４６】
この場合、鋳造サイクル毎に、ラドル２内の溶湯液面２２までの距離を計測し、この計測値に従って、ラドル２の底面から溶湯液面２２までの高さを導き出し、これによって求められた実給湯量と、事前に設定して入力した給湯量の目標値（以下、第２の目標値と記す）との差を算出し、その差の値に基づいて、次の鋳造サイクルにおいて、ラドル２内に汲み取る給湯量を補正する制御をすることを特徴とするラドル給湯制御方法となる。
【００４７】
好適には、ラドル２内の前記実給湯量は、溶湯液面２２の波立ちによる揺れが収まり安定する位置が良く、例えば、図１に示す溶湯保持炉２４上のラドル２の待機位置１３での実給湯量を取り込むことにより、高精度な実給湯量を把握することが可能となる。
【００４８】
事前に設定して入力した第２の目標値は、不良となった複数の鋳造品の実給湯量を事前に検出し、この不良となった複数の鋳造品の実給湯量の計測値に基づいて決定することができる。
【００４９】
具体的に、例えば、
ラドル２内の実給湯量が、第２の目標値より少ない場合は、次の鋳造サイクルにおいて、ラドル２内に汲み取る給湯量を増加させ、
ラドル２内の実給湯量が、第２の目標値より多い場合は、次の鋳造サイクルにおいて、ラドル２内に汲み取る給湯量を減少させる、
といったことを特徴とするラドル給湯制御方法が可能である。
【００５０】
これは、不良品の鋳造の発生を低減し、鋳造歩留り改善、コスト削減、地球資源および環境の保全に貢献するといった、鋳造に対して優れた作用効果がある。
【００５１】
＜第８の実施形態＞
以下、本発明の第８の実施形態を図に基づいて説明する。
さらに、図２および図３に示す第５の実施形態において、本発明によれば、鋳造サイクル毎のラドル２内の溶湯状態の計測値を鋳造サイクル毎の鋳造条件の中に取り込んで、前記計測値を利用するために、前記計測器として、例えば、温度計と共に距離計も併せて使用することができる。
【００５２】
この場合、鋳造サイクル毎に、ラドル２内の溶湯温度を検出した実績値に基づいて、次のラドル給湯装置１の動作の工程を制御すること、
及び、鋳造サイクル毎に、ラドル２内の溶湯液面２２までの距離を計測して求められた実給湯量に基づいて、次の鋳造サイクルにおいて、ラドル２内に汲み取る給湯量を補正する制御をすること、
を特徴とするラドル給湯制御方法となる。
【００５３】
好適には、ラドル２内の溶湯温度を検出した実績値は、ダイカストマシン（図示せず）の射出スリーブ１１内に、ラドル２内の溶湯２１を、注湯口１２の箇所において、注湯する直前の実績値、
及び、ラドル２内の実給湯量は、溶湯液面２２の波立ちによる揺れが収まり安定する位置が良く、例えば、図１に示す溶湯保持炉２４上のラドル２の待機位置１３での実給湯量、
をそれぞれ取り込むことにより、外乱によって生じる温度変化を取り除き、且つ、高精度な実給湯量を把握することが可能となる。
【００５４】
これらは、良品鋳造のための装置効率の管理と向上が可能となり、省エネルギーに伴う環境負荷削減を通した環境保護につながる、
及び、不良品の鋳造の発生を低減し、鋳造歩留り改善、コスト削減、地球資源および環境の保全に貢献する、
といった、鋳造に対して優れた作用効果がある。
【００５５】
なお、ここでは、鋳造サイクル毎のラドル２内の溶湯状態の計測値を鋳造サイクル毎の鋳造条件の中に取り込んで、前記計測値を利用するために、前記計測器として、温度計と距離計を使用することを例として説明したが、
目的に応じて、計測器の設置個数、および、計測器の種類、規格、仕様、型式は、適宜、自由に変更が可能であるため、目的に応じて、必要な計測値を選択して利用することが可能であり、鋳造サイクル毎にラドル給湯装置１の動作を制御する方法を適宜、自由に決定して、好適なラドル給湯制御方法を構築することが可能である。
【産業上の利用可能性】
【００５６】
本発明によれば、ラドルを、別のサイズ、あるいは、別のタイプ、のラドルに交換する場合でも、計測器自体を交換する必要がなくなり、同じ計測器を継続して使用可能であるため、計測器の交換作業時間が無くなる、というラドル給湯装置における計測器取付具の設置方法を提供することができる。
前記計測器として、例えば、温度計と共に距離計も併せて使用することができ、好適には、前記温度計および前記距離計は、非接触式を使用することにより、例えば、
前記ラドル内溶湯による検出部（接触部）の溶損の発生が無くなることにより、非接触式計測器の耐久性の向上、
前記非接触式計測器の耐久性の向上により、連続鋳造における常時の計測に優位性を持つ、
前記検出部（接触部）への前記ラドル内溶湯の付着により発生する、酸化物の形成が無くなることにより、鋳造品への前記酸化物の混入が防止されることによる、不良品が鋳造される要因の減少、
といった鋳造に対して優れた作用効果がある計測が可能となる。
【００５７】
さらに、本発明によれば、鋳造サイクル毎に、計測器により検出したラドル内溶湯状態の計測値を利用して、ラドル給湯装置の動作を制御することにより、不良品の鋳造の抑制を可能とするラドル給湯制御が行える、というラドル給湯装置における給湯制御方法を提供することができる。
前記計測器として、例えば、温度計と共に距離計も併せて使用することができ、好適には、前記ラドル内の前記溶湯温度を検出した実績値は、前記ダイカストマシンの前記射出スリーブ内に、前記ラドル内の前記溶湯を注湯する直前の実績値、
及び、前記ラドル内の前記実給湯量は、前記溶湯液面の波立ちによる揺れが収まり安定する位置が良く、例えば、溶湯保持炉上の前記ラドルの待機位置での実給湯量、
を取り込むことにより、外乱によって生じる温度変化を取り除き、且つ、高精度な実給湯量を把握することが可能となる。
よって、良品鋳造のための装置効率の管理と向上が可能となり、省エネルギーに伴う環境負荷削減を通した環境保護につながる、
及び、不良品の鋳造の発生を低減し、鋳造歩留り改善、コスト削減、地球資源および環境の保全に貢献する、
といった、鋳造に対して優れた作用効果がある給湯制御が可能となる。
【符号の説明】
【００５８】
１    ラドル給湯装置
２    ラドル
３    ラドル回転用の軸穴
４    ラドルの回転機構
５    ラドルの回転軸
６    計測器を取付けるための取付具
７    アーム
１０  ダイカストマシン
１１  射出スリーブ
１２  射出スリーブ部の注湯口
１３  溶湯保持炉上のラドルの待機位置
１４  プランジャチップ
２１  ラドル内の溶湯
２２  ラドル内の溶湯液面
２３  溶湯保温炉内の溶湯
２４  溶湯保温炉
３１  計測器
３２  計測器の検出部
【図１】
2019069453.tif 000003
【図２】
2019069453.tif 000004
【図３】
2019069453.tif 000005